(57)【特許請求の範囲】
【請求項１】
容器用の開栓明示機能を有するクロージャであって、
第１のシェル部及び第２のシェル部を備えるシェルと、
開栓明示機能を有するオーバーキャップとを備え、
前記開栓明示機能を有するオーバーキャップが、前記第１のシェル部の外部に固定されているキャップと、開栓明示機能を有する部材が解放される前に前記キャップを取り外すことができないように前記キャップに解放可能に連結され、前記第２のシェル部の少なくとも一部の外部の周囲に解放可能に固着されている前記開栓明示機能を有する部材とを備え、
前記開栓明示機能を有する部材が解放された後に、前記キャップが前記第１のシェル部と一緒に取外し可能であり、
前記第１のシェル部及び前記第２のシェル部が、前記開栓明示機能を有する部材が解放される前に分離できず、
前記開栓明示機能を有する部材が解放されると、前記第１のシェル部を前記第２のシェル部に対して移動させて、前記開栓明示機能を有するクロージャを開封することができる、
前記開栓明示機能を有するクロージャ。
【請求項２】
内側部及び外側部を含む第１の部分並びに第２の部分であって、前記第１の部分が、前記第２の部分に連結され、又は連結することができ、前記第２の部分から取外し可能であり、前記外側部が、開栓明示機能を有するクロージャの最初の開封時に、前記内側部に対して第１の位置から前記内側部に対して第２の位置に、前記内側部に対して移動可能である、前記第１の部分並びに第２の部分と、
前記外側部が、前記第１の位置に戻るのを防止するための手段と
をさらに備える、請求項１に記載の開栓明示機能を有するクロージャ。
【請求項３】
外側部が、第１及び第２のシェル部が互いに隣接している第１の位置から、前記第１及び第２のシェル部の間に間隙が存在する第２の位置に、内側部に対して移動可能であり、開栓明示機能を有するクロージャが、前記間隙が容易に閉じることができないように、前記開栓明示機能を有するクロージャの最初の開封時に、前記外側部を前記第２の位置に係止するための係止手段を備える、請求項２に記載の開栓明示機能を有するクロージャ。
【請求項４】
外側部が第２の位置に到達するまで、内側部が第２の部分に対して移動するのを防止するための手段を含む、請求項２又は３に記載の開栓明示機能を有するクロージャ。
【請求項５】
第１の位置に戻るのを防止するためのラチェット構成を備える、請求項２〜４のいずれかに記載の開栓明示機能を有するクロージャ。
【請求項６】
第１のシェル部及び第２のシェル部が、開栓明示機能を有するクロージャが開封されていない状態であるとき、弱化線によって接合されている、請求項１〜５のいずれかに記載の開栓明示機能を有するクロージャ。
【請求項７】
間隙が遮られていない、請求項３に記載の開栓明示機能を有するクロージャ。
【請求項８】
開栓明示機能を有する部材が、キャップに折壊可能に連結されている、請求項１〜７のいずれかに記載の開栓明示機能を有するクロージャ。
【請求項９】
開栓明示機能を有する部材が、第２のシェル部上の対応する回転防止機能に係合するための回転防止機能を含む、請求項１〜８のいずれかに記載の開栓明示機能を有するクロージャ。
【請求項１０】
キャップが、第１のシェル部上に摩擦嵌合される、請求項１〜９のいずれかに記載の開栓明示機能を有するクロージャ。
【請求項１１】
第１のシェル部が、開栓明示機能を有するクロージャを開封するために、第２のシェル部に対して回転可能である、請求項１〜１０のいずれかに記載の開栓明示機能を有するクロージャ。
【請求項１２】
第２の部分が、容器に取付け可能である、請求項２〜１１のいずれかに記載の開栓明示機能を有するクロージャ。
【請求項１３】
開栓明示機能を有する部材が、開栓明示機能を有するバンドである、請求項１〜１２のいずれかに記載の開栓明示機能を有するクロージャ。
【請求項１４】
開栓明示機能を有するクロージャが開封されていない状態にあるとき、オーバーキャップが、第１のシェル部及び第２のシェル部の軸方向の分離、並びに前記第１のシェル部及び前記第２のシェル部の相対的な回転、のうちの少なくとも一方を防止する、請求項１〜１３のいずれかに記載の開栓明示機能を有するクロージャ。
【請求項１５】
請求項１〜１４のいずれかに記載の開栓明示機能を有するクロージャと組み合わせた容器。
【請求項１６】
第１のシェル部及び第２のシェル部を備えるシェルを有するクロージャとともに使用するための開栓明示機能を有するオーバーキャップであって、前記クロージャの前記第１のシェル部の外部に固定することができるキャップと、前記キャップに解放可能に連結され、前記第２のシェル部の外部に解放可能に固着することができる開栓明示機能を有する部材とを備え、それによって、前記開栓明示機能を有するオーバーキャップが前記クロージャ上で使用するように構成されているとき、前記キャップが、前記開栓明示機能を有する部材が解放される前は取り外すことができず、前記開栓明示機能を有する部材が解放された後に、前記キャップが前記第１のシェル部と一緒に取外し可能であり、前記第１のシェル部及び前記第２のシェル部が、前記開栓明示機能を有する部材が解放される前は分離できず、前記開栓明示機能を有する部材が解放された後に、前記第１のシェル部を前記第２のシェル部に対して移動させて、前記開栓明示機能を有するクロージャを開封することができ、
前記開栓明示機能を有する部材が、上側縁部及び下側縁部を有する開栓明示機能を有するバンドであり、前記上側縁部が、前記キャップの自由端に折壊可能に連結されており、前記下側縁部が連結されていない、前記開栓明示機能を有するオーバーキャップ。
【請求項１７】
開栓明示機能を有するクロージャが開封されていない状態のとき、第１のシェル部が第２のシェル部の周縁部のすぐ隣にあり、開栓明示機能を有する部材が、前記第１のシェル部及び前記第２のシェル部のすぐ隣の周縁部間にわたって軸方向に延びる、請求項１に記載の開栓明示機能を有するクロージャ。
【請求項１８】
開栓明示機能を有するバンドが、上側縁部及び下側縁部を有し、前記上側縁部が、キャップの自由端に折壊可能に連結されており、前記下側縁部が連結されていない、請求項１３に記載の開栓明示機能を有するクロージャ。
【請求項１９】
開栓明示機能を有するバンドが、第２のシェル部の直径よりも大きな直径を有する、請求項１３に記載の開栓明示機能を有するクロージャ。
【請求項２０】
開栓明示機能を有するバンドが、破損可能であり、それにより前記開栓明示機能を有するバンドを解放させることができる折壊可能な線を有し、前記開栓明示機能を有するバンドが略円盤形の区間を有し、前記折壊可能な線が、前記略円盤形の区間の一方の側の周囲、前記略円盤形の区間を通って、のいずれかに延びる、請求項１３に記載の開栓明示機能を有するクロージャ。
【発明の詳細な説明】
【技術分野】
【０００１】
本発明は、一般に、容器用のクロージャに関し、詳細には、クロージャが、少なくとも一度、開封されたことを示すための手段を備えたクロージャに関する。
【背景技術】
【０００２】
容器に元のものではない内容物が詰め替えられていないことを保証する開栓指示システムがますます求められている。何らかの形態の開栓明示機能(tamper-evidence)を生み出すことは、比較的、容易であるが、開栓明示機能システムを作動させずには打ち勝つことができない、又は作動させてから、作動させていないかのように視覚的に同一の状態に戻すことができない開栓明示機能を提供することは、はるかに困難である。
【０００３】
開栓明示機能を提供する特に有用な方法は、最初に、クロージャは、第１の位置に位置決めされるが、取り外された後で、第１の位置とは視覚的に異なる第２の位置までしか戻すことができないシステムを使用することである。例えば、米国特許第５，７３８，２３１号明細書には、開封する工程中に移動し、それにより、開封後、容器仕上げ部（container finish）上の突起を越えて戻ることができなくなる部分を備えたクロージャについて記載されている。その結果、クロージャは、その元の位置に対して軸方向に変位する位置までしか戻ることができなくなる。
【０００４】
国際公開第０２／０９６７７１号パンフレットには、内側部及び外側部を含む第１の部分と、第２の部分とを備えたクロージャについて記載されている。最初に、第１の部分の内側部の区間が、縮小された円周を有するように形成されている第２の部分のレベルの下方に突き出ている。第１の部分が取り外されると、内側部のその区間が、第２の部分上の縮小された円周の領域の下から引っ張られる。取り外された後、第１の部分の内側部、及び第２の部分上の縮小された円周の領域は、それらの元の寸法を保ち、それにより、第１の部分が、再度、適用される場合、内側部は、縮小された円周の領域の下を渡ることがもはや、できなくなる。
【０００５】
国際公開第２００５／０４９４４９号パンフレット、及び国際公開第２００６／１１７５０５号パンフレットには、内側部及び外側部を含む第１の部分と、第２の部分とを備えた開栓明示機能を有する（tamper-evident）クロージャについて記載されている。外側部は、外側部が第２の部分のすぐ隣にある第１の位置から内側部に対して移動可能であり、上記外側部は、遮られていない間隙が間に存在する第２の位置に移動可能である。内側部及び外側部は、第２の位置において不可逆的に係止されることになるように適合され、それにより、外側部は、間隙を閉じるために、第１の位置に戻るように移動することはできず、開封の証拠を与える不可逆的な事象が提供される。
【先行技術文献】
【特許文献】
【０００６】
【特許文献１】米国特許第５，７３８，２３１号明細書
【特許文献２】国際公開第０２／０９６７７１号パンフレット
【特許文献３】国際公開第２００５／０４９４４９号パンフレット
【特許文献４】国際公開第２００６／１１７５０５号パンフレット
【発明の概要】
【発明が解決しようとする課題】
【０００７】
本発明は、従来技術に対する改善点の提供を図る。
【課題を解決するための手段】
【０００８】
本発明の態様によれば、容器用の開栓明示機能を有するクロージャが提供され、このクロージャは、第１のシェル部及び第２のシェル部を備えるシェルと、開栓明示機能を有するオーバーキャップとを備え、オーバーキャップは、第１のシェル部の外部に固定されているキャップと、キャップに解放可能に連結され、第２のシェル部の少なくとも一部の外部の周囲に解放可能に位置決めされている開栓明示機能を有する部材とを備え、それにより、第１及び第２のシェル部は、部材が解放されない限り分離できず、その後、キャップは、第１のシェル部と一緒に取り外すことができる。
【０００９】
その結果、第１のシェル部は、開栓明示機能を有する部材が解放されるまで、容器から取外し可能にならない。
【００１０】
開栓明示機能を有する部材は、第２のシェル部の外部の周囲に位置決め（例えば、固着、又は固定）される。言い換えれば、前記部材は、例えば、第１のシェル部と第２のシェル部との間に設けられ／解放可能に保持されるのではなく、第２のシェル部から分離し、第２のシェル部の周りに延びる。
【００１１】
いくつかの実施形態においては、第１及び第２のシェル部は、折壊可能に（frangibly）直接、一緒に連結され、すなわち、それらの間の軸方向に開栓明示機能を有する部材なしに連結される。
【００１２】
さらなる態様によれば、容器用の開栓明示機能を有するクロージャが提供され、このクロージャは、第１のシェル部及び第２のシェル部を備えるシェルと、開栓明示機能を有するオーバーキャップとを備え、オーバーキャップは、第１のシェル部に固定されているキャップと、キャップに解放可能に連結され、第２のシェル部に解放可能に固定されている開栓明示機能を有する部材とを備え、それにより、第１及び第２のシェルは、前記部材が解放されない限り分離できず、その後、キャップは、第１のシェル部と一緒に取り外すことができる。
【００１３】
その結果、第１のシェル部は、開栓明示機能を有する部材が解放されるまで、容器から取外し可能にならない。
【００１４】
クロージャは、内側部及び外側部を含む第１の部分と、第２の部分とをさらに備えることができ、第１の部分は、第２の部分に連結され、又は連結することができ、第２の部分から取り外すことができ、内側部及び外側部は、クロージャの最初の開封時に、第１の位置から、第１の部分と第２の部分との少なくとも一部の間に間隙が存在する第２の位置に移動可能であり、クロージャは、間隙を保持するように、第１の部分が、第１の位置に戻るのを防止するための手段を備える。
【００１５】
外側部は、第１及び第２のシェル部が互いに隣接している第１の位置から、間に間隙が存在する第２の位置に、内側部に対して移動可能とすることができ、クロージャは、間隙が容易に閉じることができないように、最初の開封時に、クロージャを第２の位置に係止するための係止手段を備える。
【００１６】
内側部及び外側部を含んで形成されるクロージャは、内側部が第２の部分に対して移動するのを、他方の部が第２の位置に到達するまで、防止するための手段を含むことができる。外側部が（間隙を生じさせる）その第２の位置に到達する前に、内側部が第２の部分に対して移動し得る場合、クロージャは、間隙を生じさせずに、閉じている位置に戻されることがあり得るというリスクが存在する。本発明は、これを防止するように構成され得る。
【００１７】
クロージャは、シェルを備える。金属（アルミニウムなどの）シェル、又はカウルなどが、作動構成要素を収容するために設けられ得る。間隙形成実施形態においては、間隙は、シェルの中に形成され得る。シェル部は、クロージャが開封されていない状態であるとき、弱化線によって接合され得る。例えば、折壊可能線が、シェルの中に設けられてよく、間隙は、その線がそれに沿って延びる２つのシェル部の隣接する周縁部間に形成される。
【００１８】
間隙は、遮られている（obstructed）場合がある。代替としては、間隙は、遮られていない場合がある。「遮られていない」ことによって、間隙において、又は間隙を通して遮断物が存在しないことを意味する。それによって、クロージャは、シェル間隙において、又はシェル間隙の中に閉じ込められた状態になる、遮る部材に依存しなくなる。遮られていない間隙を形成することによって、間隙を通す単純な切断操作による開栓明示機能を打ち破ることができなくなる。言い換えれば、係止機構は、間隙から遠隔にあってよい。
【００１９】
開栓明示機能を有する部材は、キャップの自由端に折壊可能に連結され得る。
【００２０】
前記部材は、第２のシェル部上の対応する機能に係合するための回転防止機能を含み得る。
【００２１】
シールなどが、前記部材上に、又は前記部材によって担持され得る。いくつかの実施形態においては、前記部材は、ワックス片、リード、又は信頼性の保証としてデザインがその中にスタンプされ、物に貼付される他の材料を連想させる一部分を含んで形成される。
【００２２】
キャップは、第１のシェル部上に摩擦嵌合され得る。いくつかの実施形態においては、接着剤が、代替として、又は追加として、使用されてもよい。
【００２３】
いくつかの実施形態においては、第１のシェル部は、クロージャを開封するために、第２のシェル部に対して回転させられなくてはならない。
【００２４】
存在する場合には、第２の部分は、容器に取付け可能とすることができる。例えば、第２の部分は、容器の口部及び首部領域に取付け可能とすることができる。いくつかの実施形態においては、第２の部分は、容器上にスナップ嵌合可能とすることができる。ロールオンピルファプルーフ（ＲＯＰＰ：Roll-on-pilfer-proof）構成もまた企図される。
【００２５】
第２の部分は、注入装備を備えること、又は含むことができる。
【００２６】
クロージャは、逆流防止弁をさらに備えることができる。特定の業界、具体的には、酒精業界は、不正開栓を防止するようにさらなる対策を求めている。逆流防止装備などのインボア装備が、しばしば、他の開栓明示機能対策に関わらず、詰替えを防止するために容器に嵌合される。
【００２７】
クロージャは、例えば、内側部及び外側部を第２の位置に係止することによって第１の位置に戻ることを防止するためのラチェット構成を含むことができる。ラチェット構成は、内側部及び外側部を一緒に不可逆的に係止する単純で効率的な方法である。有利には、最初に内側部を本体上に保持する係止手段は、その後、外側部が第１の位置に戻ることを防止する、又は防止するのを助けることができる。
【００２８】
本体部は、容器において、又は必要に応じて、インボア装備上の係合するためのねじ山などの成形部を含むことができる。そのような場合においては、キャップラチェット構成、又は他の係止機構が、係止構成に関してアクセスすること、及び不正開栓することの難易度を高めるように、成形部の上方に位置決めされ得る。
【００２９】
前記部材は、開栓明示機能を有するバンド、又はストラップなどとすることができる。バンドは、略環状とすることができる。バンドは、第２のシェル部の一部、実質的にすべて、又はすべての周囲に延びることができる。バンドは、第２のシェル部の一部、実質的にすべて、又はすべてにわたって軸方向に延びることができる。
【００３０】
キャップ及び開栓明示機能を有するバンドは、単体として形成され得る。
【００３１】
キャップ及び開栓明示機能を有するバンドは、一緒に折壊可能に連結され得る。例えば、折壊可能な連結は、キャップとバンドとの間の複数の折壊可能なブリッジによって行うことができる。
【００３２】
開栓明示機能を有する部材は、シールの外観を伴う区間を含むことができる。
【００３３】
開封されていない位置においては、オーバーキャップは、第１並びに第２のシェル部の軸方向の分離及び／又は相対的な回転を防止することができる。
【００３４】
本発明はまた、本明細書に説明されるクロージャを備える酒精瓶クロージャを提供する。
【００３５】
本発明はまた、本明細書に説明されるクロージャと容器を組合せで提供する。
【００３６】
本発明はまた、第１のシェル部及び第２のシェル部を備えるシェルを有するタイプのクロージャ容器用の開栓明示機能を有するオーバーキャップを提供し、このオーバーキャップは、第１のシェル部の外部に固定することができるキャップと、キャップに解放可能に連結され、第２のシェル部の外部において解放可能に位置決めすることができる開栓明示機能を有する部材とを備え、それにより、第１及び第２のシェルは、部材が解放されない限り、分離できず、その後、キャップは、第１のシェル部と一緒に取り外すことができる。
【００３７】
本発明はまた、容器用の開栓明示機能を有するクロージャを提供し、このクロージャは、第１のスリーブ部及び第２のスリーブ部を備える、略円柱形のスリーブと、直径がスリーブよりも大きい、略円柱形の開栓明示機能を有するオーバーキャップとを備え、オーバーキャップは、第１のスリーブ部の外部に固定されている頂部キャップと、キャップに解放可能に連結され、第２のスリーブ部の少なくとも一部の外部の周囲に解放可能に固定されている開栓明示機能を有する部材とを備え、それにより、第１及び第２のスリーブ部は、前記部材が解放されない限り分離できず、その後、キャップは、第１のスリーブ部と一緒に取り外すことができる。
【００３８】
本発明はまた、本明細書に説明されるオーバーキャップとの組合せで容器クロージャを提供する。
【００３９】
本発明はまた、第１のシェル部及び第２のシェル部を備えるシェルを有するタイプのクロージャ容器用の開栓明示機能を有するオーバーキャップを提供し、このオーバーキャップは、第１のシェル部に固定することができるキャップと、キャップに解放可能に連結され、第２のシェル部に解放可能に固定されている開栓明示機能を有する部材とを備え、それにより、第１及び第２のシェルは、部材が解放されない限り分離できず、その後、キャップは、第１のシェル部と一緒に取り外すことができる。
【００４０】
本発明により形成されるオーバーキャップは、いくつかの実施形態においては、既存のシェルに後付け可能(retrofittable)とすることができる。
【図面の簡単な説明】
【００４１】
次に、本発明は、添付の図面を参照して、例として、より具体的に説明することとする。
【図１】本発明により形成され、完全に閉じている位置で示されているクロージャの側面図である。
【図２】開栓明示機能を有するバンドが部分的に取り外されて示されている図１のクロージャの側面図である。
【図３】開栓明示機能を有するバンドが完全に取り外されているクロージャを示す図である。
【図４】図３のクロージャの側面の立面図である。
【図５】キャップが部分的に取り外されて示されている図４のクロージャの側面の立面図である。
【図６】キャップが完全に取り外されている図５のクロージャを示す図である。
【図７】キャップが、再度、置かれている図６のクロージャを示す図である。
【図８Ａ】開封されていない状態で示されている代替の実施形態により形成されるクロージャの側面図である。
【図８Ｂ】開栓明示機能を有する部材が解放されている図８Ａのクロージャの側面図である。
【図８Ｃ】キャップが取り外されている図８Ｂのクロージャの側面図である。
【図８Ｄ】キャップが、再度、置かれている図８Ｃのクロージャの側面図である。
【図９】代替の実施形態により形成され、完全に組み立てられた状態で示されているクロージャの側面図である。
【図１０】部分的な組立て段階における図９のクロージャを示す図である。
【図１１】組立工程を完了するためにオーバーキャップが受けられるときの図１０のクロージャを示す図である。
【図１２】図９のクロージャの一部を形成するシェル構成要素の斜視図である。
【図１３】図１２のシェルの切取り断面図である。
【図１４】図９のクロージャの一部を形成する間隙生成機構の側面図である。
【図１５】図９のクロージャの断面図である。
【図１６】図９のクロージャの一部を形成するオーバーキャップ構成要素の側面図である。
【図１７】図１６のオーバーキャップの斜視図である。
【図１８】図１６のオーバーキャップのさらなる斜視図である。
【図１９】図９のクロージャの一部を形成するシェル構成要素の側面図である。
【図２０】代替の実施形態により形成され、容器首部に嵌合されたクロージャを示す図である。
【図２１】開栓明示機能を有する部材が部分的に取り外されている図２０のクロージャを示す図である。
【図２２】部材が完全に取り外されている図２１のクロージャを示す図である。
【図２３】第１の、開封されていない位置において本発明と併せて使用するのに適している間隙形成機構を例示するクロージャの断面図である。
【図２４】第２の、開封された位置において示されている図２３のクロージャの断面図である。
【図２５】図２４において示されている開封されたクロージャの側面の立面図である。
【図２６】クロージャの第２の部分の斜視図である。
【図２７】図２６において示されている第２の部分の下面斜視図である。
【図２８】クロージャの第１の部分内側部の斜視図である。
【図２９】図２８の内側部の下面斜視図である。
【図３０】図２８において示されている内側部の平面図である。
【図３１】クロージャの第１の部分外側部の下面斜視図である。
【図３２】図３１の外側部の裏平面図である。
【図３３】クロージャの一部を形成する弁ハウジングの斜視図である。
【図３４】図３３の弁ハウジングのさらなる斜視図である。
【図３５】クロージャの一部を形成する弁部材の斜視図である。
【図３６】図８Ａの弁部材のさらなる斜視図である。
【図３７】代替の実施形態により形成され、また本発明において使用するのに適している間隙生成機構を例示するクロージャの側面の立面図である。
【図３８】図３７において示されているクロージャの断面図である。
【図３９】開いた位置において示されている図３７及び図３８のクロージャの斜視図である。
【図４０】図３９のクロージャの側面の立面図である。
【図４１】図４０において示されているクロージャの断面図である。
【図４２】最初の不可逆的な開封する事象に続いて、閉じている位置において示されている図３７〜図４１において示されているクロージャの断面図である。
【図４３】さらなる間隙生成機構を有し、開いた位置において示されているクロージャの側面の立面図である。
【図４４】図４３において示されているクロージャの斜視図である。
【図４５】図４３及び図４４において示されているクロージャの断面図である。
【図４６】最初の不可逆的な開封する事象に続いて、閉じている位置において示されている図４３〜図４５において示されているクロージャの断面図である。
【図４７】内側部終端部分の連結を例示する図４３〜図４６において示されているクロージャの一部を形成するクロージャ本体の一部の斜視図である。
【図４８】図４７において示されているクロージャ本体の斜視図である。
【図４９】図４８において示されているクロージャの本体／端部分の平面図である。
【図５０】さらなる実施形態により形成されるクロージャの断面図である。
【図５１】図５０のクロージャの分解図である。
【発明を実施するための形態】
【００４２】
まず、図１を参照すると、容器首部２上に固着されている、全体的に１と示されているクロージャが示されている。
【００４３】
クロージャは、第１のシェル部３Ａ（図示せず）及び第２のシェル部３Ｂを有するシェル２を備える。この実施形態においては、シェル２は、金属から形成され、他の実施形態においては、例えば、プラスチック材料から形成されるシェルが設けられ得る。
【００４４】
オーバーキャップ４が、設けられ、第１のシェル部３Ａの頂部において嵌合する。オーバーキャップ４は、キャップ部４Ａと、開栓明示機能を有するバンド４Ｂとを含む。この実施形態においては、オーバーキャップ４は、プラスチック材料から形成される。
【００４５】
キャップ部４Ａは、シェル部３Ａに（この実施形態においては、摩擦及び接着剤によって）固着され、バンド４Ｂにその自由端において折壊可能に連結される。
【００４６】
バンド４Ｂは、シールのように見えるように形成される、略円盤形の区間４Ｃを含む。シール４Ｃの一方の側の周囲に、折壊可能な線４Ｄが延びる。
【００４７】
バンド４Ｂは、（シェル部３Ａ上に載せられる）キャップ部が取り外すことができないように、シェル部３Ｂに取外し可能に固着される。
【００４８】
キャップ部４Ａを取り外すためには、まず、バンド４Ｂが解放されなくてはならない。これは、図２において示されているように（ここでは、シェル部３Ａを見ることができる）、シール４Ｃを引き起こして、線４Ｄを破損させることによって達成される。次いで、シール４Ｃは、引っ張られて、図３において示されているように、キャップ４Ａの自由端から引きちぎることができる。図２及び図３はまた、バンド４Ｂが回転するのを防止するために、バンド上の対応するリブに係合するための、シェル部３Ｂの外側表面に設けられた軸方向リブ３Ｃも示している。
【００４９】
図４においては、バンドは、完全に取り外されて示されている。これにより、使用者は、キャップ部４Ａを握り、それをねじって緩めることが可能になる（他の実施形態においては、例えば、オーバーキャップは、ねじって緩められるのではなく、引っ張って外される場合もあり得る）。キャップ部４Ａは、シェル部３Ａに、それらが容器首部から外れて同速回転するように固着される。
【００５０】
この実施形態においては、間隙生成機構が、設けられる（さらなるその詳細は、下記に与えられる）。したがって、最初の回転相においては、キャップ／シェル部の回転により、シェル部は、図５において示されているように、シェル部間の間隙Ｇを切り開くように分離されることになる（この実施形態においては、シェル部間の折壊可能な線が、最初に、存在しており、破損される）。次いで、引き続き回転させることにより、図６において示されているように、キャップ／シェル部は、首部から外れるように回転することになる。
【００５１】
キャップ／シェル部が、再度、置かれると、図７において示されているように、シェル部間のギャップＧは、残っており、再度、閉じることができない。
【００５２】
図８Ａ〜図８Ｃは、代替の実施形態により形成されるクロージャ１０１を例示している。クロージャ１００は、間隙生成機構が設けられていないことを除けば、クロージャ１に類似している。そのため、部材１０４Ｂは、取り外され（図８Ｂ）、キャップ／シェル部は、取り外され（図８Ｃ）、次いで、キャップ／シェル部が、再度、置かれると（図８Ｄ）、シェル部間の間隙は、全く設けられない。
【００５３】
次に、図９〜図１９を参照すると、さらなる実施形態により形成されるクロージャ２０１、及びその構成要素が示されている。
【００５４】
クロージャ２０１は、クロージャ１に類似しており、取外し可能な第１のシェル部２０３Ａと、第２のシェル部２０３Ｂとを含むシェルを備える。クロージャはまた、キャップ２０４Ａと、開栓明示機能を有する部材２０４Ｂとを含むオーバーキャップ２０４を備える。この実施形態においては、オーバーキャップ及びシェルは、それらの外部表面にダイヤ目ローレット模様（diamond knurling pattern）を有する。
【００５５】
クロージャ２０１は、シェル２０３内に嵌合する間隙生成機構２０５をさらに備える（図１０、図１４、及び図１５を参照のこと）。
【００５６】
シェル２０２の開放端は、機構本体上の対応するリブ２０７に係合するための回転防止リブ２０６を含む。シェル部２０３Ｂの内側表面上の位置決め突起２０８が、機構本体において形成される溝２０９の中に握締する。キャップ２０４Ａの内側表面上の垂直リブ２０４Ｆが、シェル部２０３Ａの外部表面において形成される対応するリブ２０３Ｄに対して握締する。バンド２０４Ｂの内部表面上のリブ２０４Ｅが、シェル部２０３Ｂの外部上のリブ２０３Ｃと係合する。
【００５７】
クロージャは、図１０において示されているように、機構２０５を覆うようにシェル２０３を嵌合することによって組み立てられる。次いで、オーバーキャップ２０４は、図１１に示されるように、嵌合される。
【００５８】
クロージャ２０１の動作モードは、概して、クロージャ１についてと同様である。
【００５９】
図２０〜図２２においては、代替の実施形態により形成されるクロージャ３０１が示されている。クロージャ３０１は、シール３０４Ｃが、図２１において示されているように、半分に破損されることになる折壊可能な線を有することを除けば、クロージャ１に類似している。クロージャの機能は、その他の点では同じである。図２２はまた、シェル部３０３Ｂの外部と、バンド３０４Ｂの内部とにおける協働リブ３０３Ｃ、３０４Ｅを示している。
【００６０】
続いて、次に、本発明の開栓明示機能を有するオーバーキャップとともに使用可能になるいくつかの間隙生成機構について説明する。
【００６１】
図２３を参照すると、容器首部１５上に固着されている、全体的に１０と示されているクロージャが示されている。
【００６２】
クロージャ１０は、主本体２０、内側部２５、及び外側部３０を備える。金属シェル３５が、クロージャに対する外側ケーシングを形成し、円筒形の下側シェル部３６及びカップ形状の第２のシェル部３７に分割される。シェル部３６、３７は、シェル３５がクロージャの第１及び第２の部分に適用された後で、切断工程によって形成される分割線４０において分離される。
【００６３】
本体２０及びシェル部３６は共に、第２の部分を備え、内側部及び外側部に加えてシェル部３７は、カップ状の第１の部分を備える。
【００６４】
主本体２０は、内向きに突出する、及び肩部５０の下で係合するクリップ４５によって、容器首部１５上に固定される。
【００６５】
弁ハウジング５５が、主本体２０内にクリップ留めされ、容器首部１５の頂部表面１６に対して封止する封止リップ５７を含む。
【００６６】
フロート弁６５が、ハウジング５５の中に収容され、弁座６０に対して封止して、容器の詰替えを防止することができる。弁制御ボール７０が、フロート弁６５の頂部に位置決めされる。
【００６７】
使用に際して、シェル３５の第２のシェル部３７は、回転させられる。これにより、外側部３０が内側部２５からねじって緩められる。外側部は、より詳細に後述される係止機構が外側部を内側部２５に対して係止するまで、ねじって緩める。外側部及び内側部が一緒に係止された状態で、次いで、内側部２５は、主本体２０からねじって緩めることができる。
【００６８】
キャップ（シェル部３７／外側部３０／内側部２５）が、主本体２０上に戻るようにねじって締められると、間隙Ｇが、第１及び第２のシェル部３６と３７との間に形成される。これは、係止機構により、外側部３０が、内側部２５上に完全に下がって戻るようには、ねじって締めることができないからである。加えて、内側部２５の底部は、外側部３０の底部の下方に突出して、間隙Ｇの中で目視できるようにする。
【００６９】
シェル部３６と３７との間に形成される間隙Ｇは、シェル部３６と３７との間に閉じ込められた遮断物部材が存在しないという意味において、遮られていない。
【００７０】
次に、図２６及び図２７を参照すると、主本体２０が、より詳細に示されている。
【００７１】
本体２０は、下側係合部分２１と、上側流れ調節部分２２とを備える。
【００７２】
下側部分２１は、直径方向に対向した２つの窓２１ａを有する、略円筒形の本体を備え、窓２１ａはそれぞれ、図１及び図２において示されているように、容器首部の肩部５０の下で係合するための棚部（ledge）４５を下側縁部のところに有する。加えて、下側部分２１ａの内部表面は、相互に離隔された複数の軸方向のリブ２１ｂを有し、これらのリブ２１ｂは、容器首部と本体２０との間の相対的な回転を防止するために、使用の際に容器首部の外側表面上に係止する。
【００７３】
主本体２０の上側部分２２は、略円錐台形の形状であり、雄ねじ山２２ａを有する。部分２１を接合するところの部分２２の基部においては、２組のラチェット歯部２３が配置される。歯部２３は、外側部３０が使用に際して初めて回転させられている間に、内側部２５上の対応する歯部に係合して、内側部２５が回転するのを防止する。外側部３０が内側部２５に対して係止した後でしか、内側部２５を本体２０に対して回転させることができない。部分２２の対向端部において、ドーム形状の流れ調節器２２ｂが、開口部の中に配置される。開口部それ自体は、円周方向の注入リップ２２ｃによって画定される。
【００７４】
次に、図２８〜図３０を参照すると、内側部２５がより詳細に示されている。
【００７５】
内側部２５は、頂部プレート２５ｂによって一方の端部において閉じている円筒形の側面壁２５ａを有する、略カップ形状である。
【００７６】
側壁２５ａの開放端の内部表面は、主本体部分２２上のラチェット２３に係合する連続的な一連のラチェット歯部２５ｂを含む。
【００７７】
側壁２５ａの外部は、２つの傾斜した側方傾斜部２６を含む。各傾斜部２６の始点において、係止段２６ａがあり、その目的については、より詳細に後述することとする。
【００７８】
側壁２５ａはまた、頂部プレート２５ｂに隣接して１対のラチェット部材２７ａ、２７ｂも備える。
【００７９】
側壁２５ａの外部表面はまた、円周方向のビード２５ｃを備え、その目的については、より詳細に後述することとする。
【００８０】
頂部プレート２５ｂは、１対の対向する弓形の傾斜部２８ａ、２８ｂを備え、この傾斜部２８ａ、２８ｂはそれぞれ、係止凹部２９ａ、２９ｂにより終点となる。
【００８１】
次に、図３１及び図３２を参照すると、外側部３０が、より詳細に示されている。
【００８２】
外側部３０は、略カップ形状であり、円筒形の側面壁３０ａと、頂部プレート３０ｂとを備える。
【００８３】
外側部３０の外部は、シェル部３７を係止すること、及び相対的な回転を防止することを助ける複数のローレット３０ｃを備える。
【００８４】
側壁３０ａの内部は、外側部３０が内側部から持ち上げられることを、対応するビード２５ｃと係合することによって防止するための、円周方向のビード３１を備える。
【００８５】
側壁３０ａの内部はまた、外側部３０が内側部２５に対して回転させられるとき、内側部２５の傾斜部２６の中で係合し、その傾斜部２６に乗り上げる１対の駆動ドッグ（drive dog）３２も備える。
【００８６】
側面壁３８の内部はまた、逆回転を防止するために、内側部２５上の対応するラチェット構成２７ａ、２７ｂを越えて進むように、及びラチェット構成２７ａ、２７ｂの上に係止するように設計され、配置された１対の直径方向に対向するラチェット構成３３ａ、３３ｂを備える。
【００８７】
頂部プレート３０ｂの下面は、１対の駆動ドッグ３４ａ、３４ｂを含み、この駆動ドッグ３４ａ、３４ｂはそれぞれ、主本体３８ａ、３８ｂと、係止歯部３９ａ、３９ｂとを備える。
【００８８】
次に、図３３及び図３４を参照すると、弁ハウジング５５が、より詳細に示されている。
【００８９】
ハウジング５５は、（「蟹爪」と称される場合もある）垂下する封止リップ５７を含む円周方向の封止フランジ５６を有する、略円筒形の本体を備える。
【００９０】
ハウジングの外部は、（図１に示されているように）本体２０の中にハウジングをクリップ留めするのに使用される２つの円周方向のビード６１、６２を含む。
【００９１】
ハウジング５５の内部は、４つの位置決めリブ５９を有する弁チャンバ５８と、弁座６０とを備える。
【００９２】
次に、図３５及び図３６を参照すると、フロート弁６５が、より詳細に示されている。
【００９３】
弁６５は、円筒形の側面壁６６と、凹状の頂部プレート６７とを備える、略カップ形状の本体を備える。
【００９４】
次に、クロージャの動作について、より詳細に説明することとする。
【００９５】
最初に、本体２０は、軸方向及び回転方向の移動を防止するように、リブ２１ｂによって首部１５上に係止される。内側部２５は、ラチェット２３、２５ｂにより、本体２０に対して回転することができない。シェル部３７は、ローレット３０ｃにより、外側部に対して回転することができない。外側部３０は、係止ビード２５ｃ、３１により、及び段２６ａの下で係合する駆動ドッグ３２により、内側部２５から持ち上げることができない。
【００９６】
シェル部３７は、使用者によって握られ、回される。これにより、外側部３０は、内側部２５に対して回転することになる。外側部の中の駆動ドッグ３２は、内側部における傾斜部２６を上へと上昇し、駆動ドッグ３４ａは、傾斜部２８ａ、２９ａを上へと上昇する。ラチェット３３ａは、ラチェット２７ａ、２７ｂを越えて渡る。
【００９７】
外側部は、２ｍｍだけ上昇させられる。この時点において、引き続き回転させることにより、係止歯部３９ａ、３９ｂは、係止凹部２９ａ、２９ｂの中に落ち込むことになる。加えて、ラチェット３３ａは、回転してラチェット２７ａ、２７ｂを越えている。内側部は、０．５ｍｍだけ下がって戻るように落ち込む。
【００９８】
駆動ドッグ３２が、傾斜部２６の端部に当接し、駆動ドッグ３４ａ、３４ｂが、傾斜部２８ａ、２８ｂの端部に当接するので、内側部に対して外側部を引き続き回転させることは不可能である。
【００９９】
この第２の位置においては、外側部３０の開放端は、内側部２５の開放端から離れるように軸方向に移動して、側壁２５ａの自由端を露出している。
【０１００】
キャップ部（シェル部３７、外側部３０、及び内側部２５）を引き続き回転させることにより、ラチェット２５がラチェット２３を越えて渡ることを可能にするのに必要なトルクに打ち勝ち、それにより、内側部は、本体に対して回転することになる。内側部上の雌ねじ山２５ｄは、本体の雄ねじ山２２ａを上へと上昇する。
【０１０１】
次に、キャップ部は、本体２０から持ち上げられて、容器の内容物を分注することを可能にすることができる。
【０１０２】
内容物は、弁ハウジング５５を通して分注される。弁６５は、容器が逆さまにされ、内容物が流れ出すとき、弁座６０から持ち上がる。弁６５は、容器が直立位置に戻されると、ボール７０の重みで、弁座６０に対して、再度、封止する。これにより、容器の詰替えが防止される。
【０１０３】
キャップ部が戻されると、内側部２５は、本体２０上に戻るようにねじって締められる。内側部は、その元の位置まで下がって戻るように、ねじって締めるが、外側部は、駆動ドッグ３４ａ、３４ｂによってもたらされる軸方向の係止手段と、ラチェット３３ａ、３３ｂ及び２７ａ、２７ｂによってもたらされる横方向の係止手段との両方によって定位置に係止されるので、外側部はそれができない。このことは、間隙Ｇが、シェル部３６と３７との間に形成され、内側部スカートの自由端が、間隙Ｇを通して目視できることを意味する。この不可逆的な開封する事象は、クロージャが、少なくとも一度、開封されたという視覚的な証拠を与える。間隙Ｇは、クロージャを破壊せずに閉じることはできない。
【０１０４】
金属シェル部３６と３７との間の間隙Ｇは、それらの間に直接、遮断物を置くことによって生成されるのではないので、単純な切断動作によって、間隙Ｇを閉じることはできない。
【０１０５】
二重の軸方向及び横方向のラチェット構成を設けることによって、クロージャをその元の位置に戻るように設置し直して、間隙Ｇを閉じることが防止される。代替の実施形態においては（図示せず）、類似のクロージャには、軸方向のラチェット構成のみが設けられる。
【０１０６】
次に、図３７及び図３８を参照すると、代替の実施形態により形成されるクロージャ１１０が示されている。クロージャ１１０は、図２３〜図３６において例示されているクロージャ１０に類似している。
【０１０７】
この実施形態においては、最初に、上側及び下側のシェル部１３６、１３７は、複数の折壊可能なブリッジ１８０によって接合されており、このブリッジ１８０は、ｉ）最初の開封前に、下側シェル部１３６が回転させられる、又はii）クロージャの頂部を、ねじって緩めることをせずに、引っ張って外そうとする試みがなされる、のいずれかの場合に破損することになる。そのため、ブリッジは、追加の開栓明示機能を有する機能として働く。
【０１０８】
図３８において最良に見られるように、クロージャの内側部１２５は、犬脚形状の終端部分１９０を設けるために、分割線１４０、及び外側部の開放端を越えて延び、この終端部分１９０は、終端部分の一方の半分１９２が下側シェル部１３６の上側端部の下で嵌合し、他方の半分１９４が上側シェル部１３７の中に嵌合するように、主本体１２０上の肩部１２０ａに接して据わっている。シェル分割線１４０の上方に、複数の折壊可能なブリッジ（図示せず）が、分割線１８５を形成するために、内側部１２５の中に形成される。
【０１０９】
次に、図３９〜図４２を参照すると、使用に際して、クロージャが開封されると、シェル部１３７が、クロージャ１０について説明されたものと同じ方式で、ねじって緩められる。しかしながら、この実施形態においては、ねじって緩める行為は、分割線１４０上のブリッジ１８０と、分割線１８５上のブリッジ１８０との両方を破損させる。その結果、内側部の終端部分１９０は、依然として本体において保持されたままになり、それにより、半分１９４は、目視できる直立したバンドを生み出す。図１４に示されているように、頂部キャップが、再度、置かれると、バンド１９４は、間隙Ｇを通して目視できる。
【０１１０】
図４３〜図４９は、代替の実施形態により形成されるクロージャ２１０を示している。クロージャは、クロージャ１１０に非常に類似しており、犬脚形状の終端部分２９０を有する延びた内側部２２５を含む。この実施形態においては、分割線２８５は、シェル部間の分割線２４０とほぼ一直線に形成される。その結果、使用に際して、バンドが、クロージャの下側部において保持されるのではなく、終端部分２９０の上側半分２９４が、最初の開封時に、頂部キャップにより取り外され、キャップの開放端の下方に突出して、はっきりと目視できるようになる。次いで、クロージャが閉鎖位置に戻ると（図１８）、半分の部分２９４は、間隙Ｇの中で目視できる。
【０１１１】
図４７〜図４９において最良に示されているように、半分の終端部分２９２は、本体肩部２２０ａに接して据わっている。肩部２２０ａから延びる本体壁は、半分２９２の内部表面に形成される複数の対応する歯部２９６に係合するための複数のラチェット歯部２９５を担持する。これにより、使用に際して、本体２２０に対して半分が回転することが防止され、確実に、分割線２８５に沿って形成されるブリッジが破壊されることになる。類似の構成が、クロージャ１１０に提供される。
【０１１２】
図５０及び図５１においては、さらなる実施形態により形成されるクロージャ４１０が、示されている。
【０１１３】
クロージャは、スリーブ上側部（２０３Ａ）及び外側ラチェット部（２２５）が、１つの構成要素４０３Ａに組み合わせられていることを除けば、図９〜図１９のクロージャ２１０に非常に類似している。言い換えれば、スリーブ４０３Ａの上側部はまた、外側ラチェット部の機能も持っている。クロージャ４１０の機能は、変わっていない。
【０１１４】
本明細書及び図面は、本発明の原理のみを例示しているにすぎない。したがって、本明細書において明示的に説明又は図示されていなくても、当業者が、本発明の原理を具現化する様々な構成を考案することができることは認識されよう。さらには、本明細書に列挙されたすべての例は、主には、本発明の原理、及び当技術分野を促進するために本発明者らによって寄与された概念を理解する助けになる教育上の目的にすぎないことが明確に意図され、そのような具体的に列挙された例及び条件に限定されないと解釈すべきである。その上、本発明の原理、態様、及び実施形態、並びにその具体的な例を列挙する本明細書のすべての記載は、その均等物を包含することが意図されている。
【図１】
0006608373.tif 000002
【図２】
0006608373.tif 000003
【図３】
0006608373.tif 000004
【図４】
0006608373.tif 000005
【図５】
0006608373.tif 000006
【図６】
0006608373.tif 000007
【図７】
0006608373.tif 000008
【図８Ａ】
0006608373.tif 000009
【図８Ｂ】
0006608373.tif 000010
【図８Ｃ】
0006608373.tif 000011
【図８Ｄ】
0006608373.tif 000012
【図９】
0006608373.tif 000013
【図１０】
0006608373.tif 000014
【図１１】
0006608373.tif 000015
【図１２】
0006608373.tif 000016
【図１３】
0006608373.tif 000017
【図１４】
0006608373.tif 000018
【図１５】
0006608373.tif 000019
【図１６】
0006608373.tif 000020
【図１７】
0006608373.tif 000021
【図１８】
0006608373.tif 000022
【図１９】
0006608373.tif 000023
【図２０】
0006608373.tif 000024
【図２１】
0006608373.tif 000025
【図２２】
0006608373.tif 000026
【図２３】
0006608373.tif 000027
【図２４】
0006608373.tif 000028
【図２５】
0006608373.tif 000029
【図２６】
0006608373.tif 000030
【図２７】
0006608373.tif 000031
【図２８】
0006608373.tif 000032
【図２９】
0006608373.tif 000033
【図３０】
0006608373.tif 000034
【図３１】
0006608373.tif 000035
【図３２】
0006608373.tif 000036
【図３３】
0006608373.tif 000037
【図３４】
0006608373.tif 000038
【図３５】
0006608373.tif 000039
【図３６】
0006608373.tif 000040
【図３７】
0006608373.tif 000041
【図３８】
0006608373.tif 000042
【図３９】
0006608373.tif 000043
【図４０】
0006608373.tif 000044
【図４１】
0006608373.tif 000045
【図４２】
0006608373.tif 000046
【図４３】
0006608373.tif 000047
【図４４】
0006608373.tif 000048
【図４５】
0006608373.tif 000049
【図４６】
0006608373.tif 000050
【図４７】
0006608373.tif 000051
【図４８】
0006608373.tif 000052
【図４９】
0006608373.tif 000053
【図５０】
0006608373.tif 000054
【図５１】
0006608373.tif 000055